(57)【要約】  【課題】養生用被覆蓋被覆蓋の係止部が折損することなく、確実に排水桝の掃除口蓋体に仮止めできる。  【解決手段】排水桝の掃除口を閉塞した掃除口蓋体８を覆う被覆蓋体20は、掃除口蓋体８の開閉用凹部10に係脱可能に係止する係止部22をカバー部21に突設する。係止部22は先端側が基端側よりカバー部21の中心を通る垂線Ｑ側に変位し、開閉用凹部10の上面部外周部から掃除口蓋体８の中心を通る垂線Ｐまでの寸法Ｒ1より係止部22の基端部24の外側面からカバー部21の中心を通る垂線Ｑまでの寸法ｒ1を大きくするとともに、係止部22の先端側の外側面からカバー部21の中心を通る垂線Ｑまでの寸法ｒ2を小さくする。係止部22の先端部内側面からカバー部21の中心を通る垂線Ｑまでの寸法ｒ3は、掃除口蓋体８の開閉用凹部10の上面部内側部から掃除口蓋体８の中心を通る垂線Ｐまでの寸法Ｒ3より小さい寸法に形成し、被覆蓋体20は熱可塑性エラストマーにて射出成型する。  【選択図】図１
2006249691.tif 000002
【特許請求の範囲】
【請求項１】
排水桝の掃除口に連通する上端開口部を開閉可能に閉塞した掃除口蓋体の表面を覆う仮止め養生用被覆蓋であって、
被覆蓋体は、前記掃除口蓋体を嵌合する枠体の外径に等しい外径を有するカバー部を有し、
このカバー部の下面に、前記掃除口蓋体の上面部に対し下部側がこの掃除口蓋体の中心を通る垂線側に向った位置に変位した開閉用凹部に係脱可能に係止する係止部を一体に突設し、
前記カバー部の表面に取り外し手段を形成し、
この被覆蓋体のカバー部に突設した前記係止部は、先端側が基端側よりこのカバー部の中心を通る垂線側に変位し、
この係止部の基端部の外側面からカバー部の中心を通る垂線までの寸法は、前記掃除口蓋体の開閉用凹部の上面部外周部からこの掃除口蓋体の中心を通る垂線までの寸法より大きい寸法に形成し、
この係止部の先端側の外側面から前記カバー部の中心を通る垂線までの寸法は、前記開閉用凹部の上面部外側部より掃除口蓋体の中心を通る垂線までの寸法より小さい寸法に形成し、
この係止部の先端部内側面から前記カバー部の中心を通る垂線までの寸法は、前記掃除口蓋体の開閉用凹部の上面部内側部から掃除口蓋体の中心を通る垂線までの寸法より小さい寸法に形成し、
前記被覆蓋体は熱可塑性エラストマーにて射出成型した
ことを特徴とする排水桝の掃除口蓋の養生用被覆蓋。
【請求項２】
被覆蓋体のカバー部に設けた係止部の基端部外側面を部分的に突出し、この基端部外側面から前記被覆蓋体の中心を通る垂線までの寸法は、前記掃除口蓋体の開閉用凹部の上面部外周部からこの掃除口蓋体の中心を通る垂線までの寸法より大きくなる寸法に形成したことを特徴とする請求項１記載の排水桝の掃除口蓋の養生用被覆蓋。
【請求項３】
排水桝の掃除口に連通する上面開口部を開閉可能に閉塞した掃除口蓋体の表面を覆う仮止め養生用被覆蓋であって、
被覆蓋体は、前記掃除口蓋体を嵌合する枠体の外径に等しい外径を有するカバー部を有し、
このカバー部の下面に、前記掃除口蓋体の上面部に対し下部側がこの掃除口蓋体の中心を通る垂線側に向った位置に変位した開閉用凹部に係脱可能に係止する係止部を一体に突設し、
前記カバー部の表面に取り外し手段を形成し、
この被覆蓋体のカバー部に突設した前記係止部は、先端側が基端側よりこのカバー部の中心を通る垂線側に変位し、
前記係止部の基端部は、外側面から内側面までの寸法を、前記掃除口蓋体に形成した開閉用凹部の外周部から内周部までの寸法より大きく形成し、
前記被覆蓋体は熱可塑性エラストマーにて射出成型した
ことを特徴とする排水桝の掃除口蓋の養生用被覆蓋。
【請求項４】
被覆蓋体に設けた係止部の基端部の外側面から内側面までの寸法は、前記掃除口蓋体の開閉用凹部の上面部外周部から内周部までの寸法より部分的に大きい寸法に形成したことを特徴とする請求項３記載の排水桝の掃除口蓋の養生用被覆蓋。
【請求項５】
被覆蓋体のカバー部は、中央部から外周縁部に向って低く傾斜して中央部が上方に膨出した形状としたことを特徴とする請求項１ないし４のいずれかに記載の排水桝の掃除口蓋の養生用被覆蓋。
【発明の詳細な説明】
【技術分野】
【０００１】
本発明は、排水桝の立ち上がり管に、地表面と同一面に配設される点検、清掃用の蓋を設置する際に、蓋体の表面が汚損したり、損傷することがないよう蓋体の表面を覆う排水桝の掃除口蓋の養生用被覆蓋に関する。
【背景技術】
【０００２】
一般に、排水桝の立ち上がり管の上端開口部には、点検、清掃などのために上部に掃除口蓋体が設置されており、通常、排水桝の立ち上がり管を埋設施工する際には、立ち上がり管の上端開口部に枠体を取り付け、この枠体に掃除口蓋体を開閉自在に嵌着した後、枠体と掃除口蓋体との上面と周辺の地表面とをコンクリートなどの舗装材料によって略同一面に仕上げ舗装する。
【０００３】
しかし、このような施工を行うときには、コンクリートなどの舗装材料が枠体や掃除口蓋体の上面にはみ出し、この状態で枠体や蓋体に付着した舗装材料が固化すると、掃除口蓋体の外観が汚損されて見苦しくなることがあるため、施工にあたっては舗装材料が枠体や掃除口蓋体の上面にはみ出すことがないように十分な注意を払う必要がある。
【０００４】
そして、舗装材料が枠体や掃除口蓋体の上面にはみ出してしまった場合には、このはみ出した舗装材料を剥離除去する作業が必要となるため、枠体や掃除口蓋体の周辺の地表面を舗装する作業は非常に手間がかかる問題があった。
【０００５】
そこで、このような問題点を解決するため、従来は、枠体および掃除口蓋体の上面に粘着剤を塗布した保護フィルムを貼着してからこの枠体および掃除口蓋体の周辺の地表面をコンクリートなどによって舗装し、この舗装作業が終了した後に前記保護フィルムを枠体および掃除口蓋体から剥離する方法が採られている。
【０００６】
しかし、枠体および掃除口蓋体の上面に保護フィルムを貼着した場合、作業中に作業者が枠体や掃除口蓋体を踏み付けたとき、保護フィルムに塗布された粘着物が枠体や掃除口蓋体に貼り付き易く、枠体や掃除口蓋体が粘着物で汚損するという問題があった。
【０００７】
そこで、枠体および掃除口蓋体を立ち上がり管の上端開口部に設置した状態で、枠体および掃除口蓋体の上面を被覆する円形平板状のカバー部と、このカバー部の周縁から垂直下方に突設され前記枠体と前記掃除口蓋体との嵌合面の間隙に挿入可能なスカート部とを有する被覆蓋が知られている（例えば、特許文献１参照。）。
【０００８】
この従来の被覆蓋は、被覆蓋体のカバー部に設けたスカート部を枠体と掃除口蓋体の隙間に挿入して枠体と掃除口蓋体との上面を被覆蓋体のカバー部で被覆するもので、掃除口蓋体を支持する枠体周辺の地表面を舗装する際に、舗装材料が枠体や掃除口蓋体の上面にはみ出して枠体や掃除口蓋体に付着することを防止できる。
【０００９】
しかしながら、最近は掃除口蓋体と枠体との嵌合面をテーパー状として、被覆蓋体のカバー部のスカート部を挿入する間隙が形成されないテーパー嵌合の水密構造が多く採用されており、特に掃除口に雨水が流入することを防ぐために、枠体の掃除口蓋体を嵌合する嵌合面に水密性を保持することができるように、被覆蓋体のカバー部のスカート部を挿入する間隙が形成されていないことが多く、前記従来の被覆蓋体ではカバー部のスカート部を枠体と掃除口蓋体の間隙に挿入することができないという問題を有している。
【００１０】
そこで、掃除口蓋体の上面に形成した蓋開閉用凹部に設けられている取手棒に係止可能な係止部を、カバー部の裏面に突設した円形平板状の被覆蓋が知られている（たとえば、特許文献２参照。）。
【００１１】
この被覆蓋のカバー部の裏面に設けた係止部を掃除口蓋体の蓋開閉用の凹部に設けた取手棒に係止して枠体と掃除口蓋体との上面を被覆する被覆蓋の構成では、カバー部の表面からは、裏面に設けた係止部の位置の確認が困難で、被覆蓋の取り付けに手間取る問題があった。
【００１２】
さらに、近時、ポリプロピレン樹脂などの合成樹脂にて射出成形された被覆蓋体に係止部を設けた養生用被覆蓋が知られている。この被覆蓋の被覆蓋体では、繰り返し反復使用されている間に、地面に置かれたときに踏みつけられたり、或いは蹴飛ばされて係止部が破損することがあり、係止部が破損されないように、被覆蓋体を弾性物質に形成することも考えられるが、係止部もカバー部と一体に弾性物質で形成すると、係止部が破損するおそれは少なくなるが、係止部が掃除口蓋体の蓋開閉用凹部に係止する係止力が低下する問題がある。
【００１３】
また、被覆蓋体のカバー部に設けた係止部は、カバー部を射出成形をした場合、射出成形に起因するひけなどの問題により、係止部の寸法にばらつきが生じ、係止部の係止力にばらつきがでて、係止力が低いと、風で被覆蓋体が飛ばされるなど被覆蓋体が外れる危険があり、また、逆に、係止部の係止力が強すぎると、カバー部の着脱が困難となり、作業性が困難になる問題がある。
【特許文献１】実用新案登録第２５６９３１２号公報（第２頁、第３頁、図３、図４）
【特許文献２】実開平１−７９６４０号公報（第２頁、第３頁、第１図、第２図）
【発明の開示】
【発明が解決しようとする課題】
【００１４】
解決しようとする問題点は、掃除口蓋体の開閉用凹部に係脱自在に係止される被覆蓋体のカバー部に設けた係止部が折損され易く、また、この被覆蓋体のカバー部に設けた係止部と掃除口蓋体の開閉用凹部との係止力にばらつきが生じ、被覆蓋体が掃除口蓋体から外れたり、取付け作業が困難になることであった。
【００１５】
本発明はこのような点に鑑みなされたもので、掃除口蓋体に形成した開閉用凹部に係脱可能に係止する被覆蓋体の係止部が折損されることがなく、しかも、この係止部が確実に掃除口蓋体の開閉用凹部に係止され、被覆蓋体が容易に掃除口蓋体に着脱できる排水桝の掃除口蓋の養生用被覆蓋を提供するものである。
【課題を解決するための手段】
【００１６】
本発明の排水桝の掃除口蓋の養生用被覆蓋は、排水桝の掃除口に連通する上端開口部を開閉可能に閉塞した掃除口蓋体の表面を覆う仮止め養生用被覆蓋であって、被覆蓋体は、前記掃除口蓋体を嵌合する枠体の外径に等しい外径を有するカバー部を有している。
【００１７】
このカバー部の下面に、前記掃除口蓋体の上面部に対し下部側がこの掃除口蓋体の中心を通る垂線側に向った位置に変位した開閉用凹部に係脱可能に係止する係止部を一体に突設し、前記カバー部の表面に取り外し手段を形成する。
【００１８】
この被覆蓋体のカバー部に突設した前記係止部は、先端側が基端側よりこのカバー部の中心を通る垂線側に変位し、この係止部の基端部の外側面からカバー部の中心を通る垂線までの寸法は、前記掃除口蓋体の開閉用凹部の上面部外周部からこの掃除口蓋体の中心を通る垂線までの寸法より大きい寸法に形成し、この係止部の先端側の外側面から前記カバー部の中心を通る垂線までの寸法は、前記開閉用凹部の上面部外側部より掃除口蓋体の中心を通る垂線までの寸法より小さい寸法に形成する。
【００１９】
さらに、この係止部の先端部内側面から前記カバー部の中心を通る垂線までの寸法は、前記掃除口蓋体の開閉用凹部の上面部内側部から掃除口蓋体の中心を通る垂線までの寸法より小さい寸法に形成する。
【００２０】
また、前記被覆蓋体は熱可塑性エラストマーにて射出成型するものである。
【００２１】
そして、排水桝の立ち上がり管を埋め戻して地表面を舗装などで仕上げるとき、排水桝の立ち上がり管の上端開口部には枠体を取り付け、この枠体に掃除口蓋体を嵌合して上面開口部を閉塞した後、この掃除口蓋体の表面に被覆蓋体のカバー部を重ねて係止部を掃除口蓋体の開閉用凹部に係脱可能に係止して仮止めすることにより、掃除口蓋体の表面は被覆蓋にて被覆され、この立ち上がり管を埋め戻して掃除口蓋体の周辺をコンクリートなどの舗装材料で舗装するときに舗装材料が掃除口蓋体に付着することが防止できる。
【００２２】
また、カバー部と係止部とを有する被覆蓋体は熱可塑性エラストマーにて成形されているため、誤って被覆蓋体を踏み付けたり、蹴飛ばしたりしても、その弾性によって係止部が折損することがない。
【００２３】
さらに、掃除口蓋体の開閉用凹部に係止した被覆蓋体のカバー部に設けられている係止部は、先端側が基端側よりこのカバー部の中心を通る垂線側に変位し、この係止部の基端部の外側面からカバー部の中心を通る垂線までの寸法は、前記掃除口蓋体の開閉用凹部の上面部外周部からこの掃除口蓋体の中心を通る垂線までの寸法より大きい寸法に形成し、さらに、この被覆蓋体のカバー部に設けた係止部の先端部内側面から前記カバー部の中心を通る垂線までの寸法は前記開閉用凹部の上面部内側部から掃除口蓋体の中心を通る垂線までの寸法より小さい寸法に形成したので、係止部は基端部外側面と先端部内側面の両側面で掃除口蓋体の開閉用凹部に係止され、この開閉用凹部に係止した係止部は、弾性を有していても掃除口蓋体の開閉用凹部から抜け外れることなく確実に係止することができ、また、一部の係止部が欠損していても被覆蓋体は掃除口蓋体から簡単に外れることがない。
【００２４】
また、この係止部の先端側の外側面から前記カバー部の中心を通る垂線までの寸法は、前記開閉用凹部の上面部外側部より掃除口蓋体の中心を通る垂線までの寸法より小さい寸法のため、係止部を掃除口蓋体の開閉用凹部に係止するとき、容易に位置合わせして係合できる。
【００２５】
また、請求項２記載の発明の排水桝の掃除口蓋の養生用被覆蓋は、請求項１記載の排水桝の掃除口蓋の養生用被覆蓋において、被覆蓋体のカバー部に設けた係止部の基端部外側面を部分的に突出し、この基端部外側面から前記被覆蓋体の中心を通る垂線までの寸法は、前記掃除口蓋体の開閉用凹部の上面部外周部からこの掃除口蓋体の中心を通る垂線までの寸法より大きくなる寸法に形成したものである。
【００２６】
そして、カバー部に設けた係止部の基端部外側面の少なくとも一部分が掃除口蓋体の開閉用凹部の上面部外周部から掃除口蓋体の中心を通る垂線までの寸法より大きく突出するので、係止部の基端部の外側面を突部のように部分的に大きい寸法にすることができ、係止部は掃除口蓋体の開閉用凹部に確実に係止され、しかも、係止部の肉厚部が少なく、ひけの発生が少なく、係止部の寸法精度が高まる。
【００２７】
さらに、請求項３記載の排水桝の掃除口蓋の養生用被覆蓋は、排水桝の掃除口に連通する上面開口部を開閉可能に閉塞した掃除口蓋体の表面を覆う仮止め養生用被覆蓋であって、被覆蓋体は、前記掃除口蓋体を嵌合する枠体の外径に等しい外径を有するカバー部を有し、このカバー部の下面に、前記掃除口蓋体の上面部に対し下部側がこの掃除口蓋体の中心を通る垂線側に向った位置に変位した開閉用凹部に係脱可能に係止する係止部を一体に突設し、前記カバー部の表面に取り外し手段を形成する。
【００２８】
さらに、この被覆蓋体のカバー部に突設した前記係止部は、先端側が基端側よりこのカバー部の中心を通る垂線側に変位し、前記係止部の基端部は、外側面から内側面までの寸法を、前記掃除口蓋体に形成した開閉用凹部の外周部から内周部までの寸法より大きく形成し、前記被覆蓋体は熱可塑性エラストマーにて射出成型したものである。
【００２９】
そして、排水桝の立ち上がり管を埋め戻して地表面を舗装などで仕上げるとき、排水桝の立ち上がり管の上面開口部には枠体を取り付け、この枠体に掃除口蓋体を嵌合して上面開口部を閉塞した後、この掃除口蓋体の表面に被覆蓋体のカバー部を重ねて係止部を掃除口蓋体の開閉用凹部に係脱可能に係止して仮止めすることにより、掃除口蓋体の表面は被覆蓋にて被覆され、この立ち上がり管を埋め戻して掃除口蓋体の周辺をコンクリートなどの舗装材料で舗装するときに舗装材料が掃除口蓋体に付着することが防止できる。
【００３０】
また、カバー部と係止部とを有する被覆蓋体は熱可塑性エラストマーにて成形されているため、誤って被覆蓋体を踏み付けたり、蹴飛ばしたりしても、その弾性によって係止部が折損することがない。
【００３１】
さらに、掃除口蓋体の開閉用凹部に係止した被覆蓋体のカバー部に設けられている係止部は、先端側が基端側よりこのカバー部の中心を通る垂線側に変位し、係止部の基端部は、外側面から内側面までの寸法を、前記掃除口蓋体に形成した開閉用凹部の外周部から内周部までの寸法より大きく形成したので、係止部は基端部外側面と先端部内側面の両側面で掃除口蓋体の開閉用凹部に係止され、この開閉用凹部に係止した係止部は、弾性を有していても掃除口蓋体の開閉用凹部から抜け外れることなく確実に係止することができ、また、一部の係止部が欠損していても被覆蓋体は掃除口蓋体から簡単に外れることがない。
【００３２】
また、請求項４記載の発明の排水桝の掃除口蓋の養生用被覆蓋は、請求項３記載の排水桝の掃除口蓋の養生用被覆蓋において、被覆蓋体に設けた係止部の基端部の外側面から内側面までの寸法は、前記掃除口蓋体の開閉用凹部の上面部外周部から内周部までの寸法より部分的に大きい寸法に形成したものである。
【００３３】
そして、カバー部に設けた係止部の基端部の少なくとも一部分が掃除口蓋体の開閉用凹部の外周部から内周部までの寸法より大きく突出するので、係止部の密着性が高まり、この係止部は掃除口蓋体の開閉用凹部の外周部から内周部の間に圧入され、カバー部の係止部は確実に掃除口蓋体の開閉用凹部に係止され、基端部に突出部が部分的に形成され、係止部の肉厚部が少なく、ひけの発生が少なく、係止部の寸法精度が高まる。
【００３４】
さらに、請求項５記載の発明の排水桝の掃除口蓋の養生用被覆蓋は、請求項１ないし４のいずれかに記載の排水桝の掃除口蓋の養生用被覆蓋において、被覆蓋体のカバー部は、中央部から外周縁部に向って低く傾斜して中央部が上方に膨出した形状としたものである。
【００３５】
そして、被覆蓋体のカバー部は、中央部から外周縁部に向って低く傾斜して中央部が上方に膨出した形状としたので、カバー部の周縁部の一部が捲りあがるような反りが発生し難いので、反りによるカバー部の周縁部に浮き上がりが生じることがなく、カバー部の周縁部が掃除口蓋体に密着し、このカバー部の反りによってこのカバー部と掃除口蓋体との間に生じた隙間からコンクリートなどの舗装材料が入り込むことを防止できる。
【発明の効果】
【００３６】
本発明の排水桝の掃除口蓋の養生用被覆蓋は、被覆蓋体のカバー部と係止部とは熱可塑性エラストマーにて成形されているので、その弾力性によって、カバー部を誤って踏み付けたり、蹴飛ばしたりするなど乱暴に取扱っても、係止部が折損することがなく、また、掃除口蓋体の表面に被覆蓋体のカバー部を重ねて係止部を掃除口蓋体の開閉用凹部に係脱可能に係止して仮止めした状態で、係止部が掃除口蓋体の開閉用凹部に弾性により圧接され、確実に係止保持され、係止部は基端部の外側面と先端部の内側面とが開閉用凹部に圧接されるため、複数の係止部のうち、いくつかが破損してもカバー部は掃除口蓋体から簡単に外れることがない。
【００３７】
また、請求項２記載の排水桝の掃除口蓋の養生用被覆蓋は、被覆蓋体のカバー部に設けた係止部は外側面の一部分が突部状に突出し、係止部は掃除口蓋体の開閉用凹に確実に係止され、この係止部の外側面全体の寸法を大きくする場合に比し、厚肉部が少なく、ひけの発生が生じ難く、寸法精度が向上する。
【００３８】
請求項３記載の排水桝の掃除口蓋の養生用被覆蓋は、被覆蓋体のカバー部と係止部とは熱可塑性エラストマーにて成形されているので、その弾力性によって、カバー部を誤って踏みつけたり、蹴飛ばしたりするなど乱暴に取扱っても、係止部が折損することがなく、また、掃除口蓋体の表面に被覆蓋体のカバー部を重ねて係止部を掃除口蓋体の開閉用凹部に係脱可能に係止して仮止めした状態で、係止部の基端部の外側面と内側面とが掃除口蓋体の開閉用凹部の外周部と内周部との間に弾性力により圧接されるため、確実に係止保持され、複数の係止部のうち、いくつかが破損してもカバー部は掃除口蓋体から簡単に外れることがない。
【００３９】
請求項４記載の排水桝の掃除口蓋の養生用被覆蓋は、被覆蓋体のカバー部の係止部は確実に掃除口蓋体の開閉用凹部に係止され、基端部に突出部が部分的に形成されても、係止部の肉厚部が少なく、ひけの発生が少なく、係止部の寸法精度が高まる。
【００４０】
また、請求項５記載の排水桝の掃除口蓋の養生用被覆蓋は、被覆蓋体のカバー部の周縁部の一部が捲りあがるように反ることによって周縁部に浮き上がりが生じることがなく、密着性が高まり、このカバー部の反りによってこのカバー部と掃除口蓋体との間に生じた隙間からコンクリートなどの舗装材料が入り込むことを防止でき、カバー部のそりが発生し難くなる。
【発明を実施するための最良の形態】
【００４１】
本発明の排水桝の掃除口蓋の養生用被覆蓋の最良の一実施の形態を図１ないし図５に基づいて説明する。
【００４２】
合成樹脂によって成形された図示しない排水桝は周知の構成を備えているもので、内底部に形成されたインバート部の両端部に、このインバート部を介して連通した流入口と流出口が開口され、この流入口は家庭などの排水設備に連通した上流側排水管に接続され、また、前記流出口は下流側排水管に接続される。また、この排水桝には、前記インバート部の上方に位置して略円筒形の掃除口が突設され、この掃除口には図２に示すように、略円筒形の立ち上がり管１の下端側が嵌挿接続され、この立ち上がり管１の上端部は、上方に向かって前記排水桝の掃除口に連通する上端開口部２が開口されている。
【００４３】
そして、前記立ち上がり管１の上端部に開口した上端開口部２には、枠体３が嵌着される。この枠体３は、前記立ち上がり管１の内径と略同一の外径を有する略円筒形の嵌挿部４と、この嵌挿部４の上部に一体にこの嵌挿部４よりも拡径形成して前記立ち上がり管１の外径と略同一の外径を有する略円筒形の枠体本体部５とを有し、この枠体本体部５と前記嵌挿部４との各外径の差によって前記立ち上がり管１の上端開口部２に係止される環状の係止段部６が形成され、さらに、前記枠体本体部５の内周部には環状の支持部７が突設され、この支持部７に嵌合された略円板状の掃除口蓋体８が開閉自在に支持されている。
【００４４】
さらに、前記掃除口蓋体８は図５に示すように、周縁部に開閉用凹部10が略等間隔で複数箇所に、例えば３ヵ所に切欠き形成されている。
【００４５】
また、前記掃除口蓋体８の裏面側に形成されている環状のシール材保持突縁11の外周部にはゴムなどの環状シール材12が嵌着され、この環状シール材12が前記枠体３の支持部７の下部に突出する環状突部13の内周面に圧接されて気密に保持されるようになっている。
【００４６】
また、前記枠体３の上面と、この枠体３に支持された前記掃除口蓋体８の上面とは、舗装など仕上げられた地表面14と同一面となる。
【００４７】
さらに、図１に示すように、前記掃除口蓋体８の各開閉用凹部10の内周部は、この掃除口蓋体８の上面部に対し下部側がこの掃除口蓋体８の中心を通る垂線Ｐ側に位置するように変位している。この各開閉用凹部10の内周部は、上面開口部14側から下方に向った垂直部15と、この垂直部15との下端側から内側となる掃除口蓋体８の中心を通る垂線Ｐ側に傾斜した中間傾斜部16と、この中間傾斜部16の下端側から下部開口部17まで内側となる掃除口蓋体８の中心を通る垂線Ｐ側に向ってさらに大きく傾斜した下部傾斜部18とにて形成されている。
【００４８】
また、図１ないし図４に示す前記掃除口蓋体８の表面を覆う仮止め養生用被覆蓋体20は、熱可塑性エラストマーにて射出成形され、この養生用被覆蓋体20は前記掃除口蓋体８を嵌合する枠体３の外径に等しい外径を有するカバー部21を備え、このカバー部21は、中央部から外周縁部に向って低く傾斜して中央部が上方に膨出した円盤形状となっている。
【００４９】
このカバー部21の下面となる裏面に前記掃除口蓋体８に形成した開閉用凹部10に係脱可能に係止される係止部22が等間隔で、例えば、前記開閉用凹部10に対応して３箇所に同一円周上に一体に突設されている。この係止部22は、先端部23が基端部24よりこのカバー部21の中心を通る垂線Ｑ側に変位している。
【００５０】
そして、この係止部22の基端部24の外側部には、この係止部22の基端部24の外側面を形成する突出部25が一体に突出形成され、この係止部22の基端部24の外側部に突出した突出部25の外側面からカバー部21の中心を通る垂線Ｑまでの寸法ｒ1は、前記掃除口蓋体８の開閉用凹部10の上面部外周部となる環状支持部７の内周面26からこの掃除口蓋体８の中心を通る垂線Ｐまでの寸法Ｒ1より大きい寸法に形成されている。この突出部25の下縁は中心通る垂線Ｑに向って下向きに傾斜されている。
【００５１】
また、この係止部22の先端部23の外側面から前記カバー部21の中心を通る垂線Ｑまでの寸法ｒ2は、前記掃除口蓋体８の開閉用凹部10の上面部外周部を形成する環状支持部７の内周面26よりこの掃除口蓋体８の中心を通る垂線Ｐまでの寸法Ｒ1より小さい寸法に形成されている。
【００５２】
さらに、この被覆蓋体20のカバー部21に設けた係止部22の先端部23の内側部には、係止部22の先端部23の内側面を形成する突起部27が前記カバー部21の中心を通る垂線Ｑに向って膨出して一体に設けられ、さらに、この係止部22の下縁部から突起部27の下縁部に連続して前記カバー部21の中心を通る垂線Ｑに向って上方に傾斜されている。この係止部22の先端部23に形成した突起部27の内側面から前記カバー部21の中心を通る垂線Ｑまでの寸法ｒ3は前記掃除口蓋体８の開閉用凹部10の上面部内側部から掃除口蓋体８の中心を通る垂線Ｐまでの寸法Ｒ3より小さい寸法に形成されている。そして、この係止部22の先端部23に形成した突起部27の上端部よりも前記係止部22の基端部24の外側面に突出した突出部25の下端部は寸法ｌ1上方に位置している。
【００５３】
また、前記係止部22の基端部24は、この基端部24の外側面を形成する突出部25の外側面から内側面までの寸法ｌ2を、前記掃除口蓋体８に形成した開閉用凹部10の上面部外周部から内周部までの寸法Ｌ2より大きい寸法に形成する。
【００５４】
また、前記被覆蓋体20のカバー部21の表面には、前記係止部22の位置を示す係止位置表示手段となる刻印状の印部28が形成されている。
【００５５】
さらに、前記カバー部21の表面にこの養生用被覆蓋体20を掃除口蓋体８から取り外すための取り外し手段29が形成されている。この取り外し手段29は、図１ないし図３に示すように、カバー部21の周縁部の近傍に突起状に突出した肉厚突部30に外方に向って工具などを差し込み係合する取り外し操作孔31を開口して形成されている。
【００５６】
次に、この実施の形態の作用を説明する。
【００５７】
地中に設置されている排水桝の掃除口に接続した立ち上がり管１を埋め戻して地表面を舗装などで仕上げるときに、排水桝の立ち上がり管１の上端開口部２に枠体３を取り付け、この枠体３に掃除口蓋体８を嵌合して上端開口部２を閉塞した後、この掃除口蓋体８の上面となっている表面に被覆蓋体20のカバー部21を重ねて係止部22を掃除口蓋体８の開閉用凹部10に係合する。
【００５８】
このとき、被覆蓋体20のカバー部21の表面に設けた係止位置表示手段の印部28により、カバー部21の下面となっている裏面に設けた係止部22と掃除口蓋体８の開閉用凹部10との位置合わせができ、被覆蓋体20の掃除口蓋体８との位置合わせが容易にできる。
【００５９】
次いで、図１に示すように被覆蓋体20の係止部22は、その先端部23の外側面から前記カバー部21の中心を通る垂線Ｑまでの寸法ｒ2は、前記掃除口蓋体８の開閉用凹部10の上面部外側部より掃除口蓋体８の中心を通る垂線Ｐまでの寸法Ｒ1より小さい寸法のため、係止部22を掃除口蓋体８の開閉用凹部10に係止するとき、容易に位置合わせして係合できる。
【００６０】
さらに、図６に示すように、被覆蓋体20を掃除口蓋体８に押し付けるようにして、係止部22の基端部24の上方部を押圧することにより、係止部22の先端部23は掃除口蓋体８の開閉用凹部10に挿入される。このとき、この係止部22の下縁部から突起部27の下縁部に連続して前記カバー部21の中心を通る垂線Ｑに向って上方に傾斜されているので、この突出部25の下縁部から係止部22の下縁部が案内となって、係止部22は先端部23側が外側に弾性力に抗して変形しながら開閉用凹部10に挿入される。
【００６１】
引き続き、被覆蓋体20を掃除口蓋体８に押し付けると、係止部22は、先端部23が基端側24よりこのカバー部21の中心を通る垂線Ｑ側に変位し、この係止部22の基端部24の外側面からカバー部22の中心を通る垂線Ｑまでの寸法ｒ1は、掃除口蓋体８の開閉用凹部10の上面部外周部からこの掃除口蓋体８の中心を通る垂線Ｐまでの寸法Ｒ1より大きい寸法に形成し、さらに、この被覆蓋体20のカバー部21に設けた係止部22の先端部23の内側面からカバー部21の中心を通る垂線Ｑまでの寸法ｒ3は開閉用凹部10の上面部内側部から掃除口蓋体８の中心を通る垂線Ｐまでの寸法Ｒ3より小さい寸法に形成したので、図７に示すように係止部22は開閉用凹部10の内周部に圧接されながら、係止部22は開閉用凹部10に挿入係合され、図８に示すように、係止部22は先端部23の内側面が開閉用凹部10の内周部に圧接されるとともに、基端部24の外側面が開閉用凹部10の外側面となる枠体３の環状支持部７の内周面に圧接され、掃除口蓋体８の表面に被覆蓋体20を仮止めすることができる。
【００６２】
しかも、掃除口蓋体８の開閉用凹部10に係止した被覆蓋体20のカバー部21に設けられている係止部21は、その基端部24は、外側面から内側面までの寸法ｌ2を、前記掃除口蓋体８に形成した開閉用凹部10の外周部から内周部までの寸法Ｌ2より大きく形成したので、係止部22は基端部24の外側面と先端部23の内側面の両側面で掃除口蓋体８の開閉用凹部10に係止され、この開閉用凹部10に係止した係止部22は、弾性を有していても掃除口蓋体８の開閉用凹部10から抜け外れることなく確実に係止することができる。
【００６３】
そして、被覆蓋体20の各係止部22は確実にそれぞれ係止されるので、例え一部の係止部22が欠損していても被覆蓋体20は掃除口蓋体８から簡単に外れることがない。
【００６４】
このように、掃除口蓋体８の表面に被覆蓋体20を仮止めすることにより、掃除口蓋体８の表面は被覆蓋体20にて被覆され、この立ち上がり管１を埋め戻して掃除口蓋体８の周辺をコンクリートなどの舗装材料で舗装するときに舗装材料が掃除口蓋体８に付着することが防止できる。
【００６５】
また、カバー部21と係止部22とを有する被覆蓋体20は熱可塑性エラストマーにて成形されているため、誤って被覆蓋体20を踏み付けたり、蹴飛ばしたりしても、その弾性によって係止部22が折損することない。
【００６６】
また、被覆蓋体20のカバー部21は、中央部から外周縁部に向って低く傾斜して中央部が上方に膨出した円盤形状としたので、カバー部21の周縁部の一部が捲りあがるように反ることがなく、被覆蓋体20は周縁部に浮き上がりが生じることがなく、この被覆蓋体20のカバー部21の反りによってこの被覆蓋体20のカバー部21と掃除口蓋体８との間に生じた隙間からコンクリートなどの舗装材料が入り込ことを防止できる。
【００６７】
さらに、地表面を舗装仕上げした後、被覆蓋体20のカバー部21の周縁部の近傍に突起状に突出している肉厚突部30の取り外し操作孔31に工具などを差し込み上方に引き上げることにより、被覆蓋体20の係止部22は弾性変形しながら掃除口蓋体８の開閉用凹部10から引き抜かれて外れ、被覆蓋体20は掃除口蓋体８から外れる。この状態で、枠体３と掃除口蓋体８の表面には接着剤などが残留付着することなく、掃除口蓋体８と枠体３との体裁が損なわれることがない。
【００６８】
また、被覆蓋体20は反復して使用することができ、廃棄物の発生量を減少させて環境汚染を防止することができる。
【００６９】
次に、他の実施の形態を図９に基づいて説明する。
【００７０】
前記実施の形態では、被覆蓋体20のカバー部21に突設した係止部22は、その基端部24の外側面を形成する突出部25を全面に形成して外側面から内側面までの寸法ｌ2を、前記掃除口蓋体８に形成した開閉用凹部10の上面部外周部から内周部までの寸法Ｌ2より大きい寸法に形成したが、図９に示すように、被覆蓋体20のカバー部21に設けた係止部22の基端部24の外側面を部分的に、例えば両側部に突出することができる。そして、この基端部24の突出部25の外側面から前記被覆蓋体20の中心を通る垂線Ｑまでの寸法ｒ1を、前記掃除口蓋体８の開閉用凹部10の上面部外周部からこの掃除口蓋体８の中心を通る垂線Ｐまでの寸法より大きくなる寸法に形成するとともに、被覆蓋体20に設けた係止部22の基端部24の外側面から内側面までの寸法ｌ2を、前記掃除口蓋体８の開閉用凹部10の上面部外周部から内周部までの寸法Ｌ2より部分的に大きい寸法に形成する。
【００７１】
そして、この構成では、被覆蓋体20のカバー部21に設けた係止部22の基端部24の少なくとも一部分が掃除口蓋体８の開閉用凹部10の外周部から内周部までの寸法Ｌ2より大きく突出するので、係止部22の密着性が高まり、この係止部22は掃除口蓋体８の開閉用凹部10の外周部から内周部の間に圧入され、カバー部21の係止部22は確実に掃除口蓋体８の開閉用凹部10に係止され、基端部24に突出部25が部分的に形成され、係止部22の肉厚部が少なく、ひけの発生が少なく、係止部の寸法精度が高まる。
【００７２】
さらに、他の実施の形態を図１０に基づいて説明する。
【００７３】
この実施の形態では、被覆蓋体20のカバー部21に突設した係止部22の基端部24の外側面に突部または凹部の係合部33を形成し、この係止部22の外側面が圧接する掃除口蓋体８の開閉用凹部10の外側面となる枠体３の環状支持部７の内周面に凹部または突部の被係合部34を形成する。
【００７４】
この構成では、掃除機口蓋体８の表面を被覆蓋体20のカバー部21が被覆した状態で、被覆蓋体20のカバー部21に突設した係止部22が掃除機口蓋体８の開閉用凹部10に圧接された状態で、係止部22の外側面の係合部33が被係合部34に係合し、係止部22の係止がより強固になり、掃除口蓋体８の表面に被覆蓋体20を確実に仮止めすることができる。
【００７５】
さらに、掃除機口蓋体８の開閉用凹部10は外周面に開口し、掃除口蓋体８の開閉用凹部10の上面部外周部を枠体３の環状支持部７の内周面26にて形成した構成としたが、開閉用凹部10を外周面に開口しないで、掃除口蓋体８に凹窪状の開閉用凹部10を形成し、外側周面を有する開閉用凹部10とすることもできる。
【００７６】
また、掃除口蓋体８を嵌合する枠体３は円形状とした構成に限られるものではなく、枠体３を正方形など多角形に成形することもできる。この構成では、被覆蓋体20も枠体３に合わせた多角形状とする。
【図面の簡単な説明】
【００７７】
【図１】本発明の１実施の形態を示す排水桝の掃除口蓋を覆う養生用被覆蓋の一部の縦断正面図である。
【図２】同上被覆蓋にて掃除口蓋体の表面を被覆する状態を示す縦断正面図である。
【図３】同上被覆蓋の平面図である。
【図４】同上被覆蓋の底面図である。
【図５】同上掃除口蓋にて立ち上がり管の上端開口部を閉塞した状態の平面図である。
【図６】同上被覆蓋にて図１に示す工程の次の掃除口蓋体の表面を被覆する工程を示す縦断正面図である。
【図７】同上被覆蓋にて図６に示す肯定の次の掃除口蓋体の表面を被覆する工程を示す縦断正面図である。
【図８】同上被覆蓋にて掃除口蓋体の表面を被覆した状態を示す縦断正面図である。
【図９】本発明の他の実施の形態を示す排水桝の掃除口蓋を覆う養生用被覆蓋の側面図である。
【図１０】本発明の他の実施の形態を示す排水桝の掃除口蓋の表面を被覆した状態を示す縦断正面図である。
【符号の説明】
【００７８】
２    排水桝の掃除口に連通する上端開口部
３    枠体
８    掃除口蓋体
10    開閉用凹部
20    被覆蓋体
21    カバー部
22    係止部
29    取り外し手段
Ｐ    掃除口蓋体の中心を通る垂線
Ｑ    カバー部の中心を通る垂線
【図１】
2006249691.tif 000003
【図２】
2006249691.tif 000004
【図３】
2006249691.tif 000005
【図４】
2006249691.tif 000006
【図５】
2006249691.tif 000007
【図６】
2006249691.tif 000008
【図７】
2006249691.tif 000009
【図８】
2006249691.tif 000010
【図９】
2006249691.tif 000011
【図１０】
2006249691.tif 000012